(57)【要約】【課題】簡易な構成でフラットケーブルがコンタクトガラスに接触することを防止する。【解決手段】画像読取装置は、コンタクトガラスと、フレームと、スキャナーと、フラットケーブルとを備える。フラットケーブルは、平状のフラット面を有するフラットケーブルであって、スキャナーに設けられたケーブル口に一端が接続され、フレームに他端が接続され、スキャナーへ信号を送受する。そして、フラットケーブルは、フラット面の幅方向がコンタクトガラスの下面に直交する方向に沿うようにフレーム内を延設されている。【選択図】図３
2018110307.tif 000002
【特許請求の範囲】
【請求項１】
読取対象の原稿が載置されるコンタクトガラスと、
前記コンタクトガラスを支持する箱形のフレームと、
主走査方向に延びた読取機構を有し、前記フレーム内の前記コンタクトガラスの原稿が載置される上面とは反対側の下面側において副走査方向に往復移動するスキャナーと、
平状のフラット面を有するフラットケーブルであって、前記スキャナーに設けられたケーブル口に一端が接続され、前記フレームに他端が接続され、前記スキャナーへ信号を送受するフラットケーブルと、を備え、
前記フラットケーブルは、前記フラット面の幅方向が前記コンタクトガラスの前記下面に直交する方向に沿うように前記フレーム内を延設されている、画像読取装置。
【請求項２】
前記フラットケーブルは、前記フラット面の幅方向に対するヤング率を高める補強処理が施されている、請求項１に記載の画像読取装置。
【請求項３】
前記フラットケーブルは、前記フラット面に補強部材が着設されており、当該補強部材により前記補強処理が実現されている、請求項２に記載の画像読取装置。
【請求項４】
前記フラットケーブルは、前記フラット面の一部が前記フラット面に直交する方向に突出した突出部が形成されており、当該突出部により前記補強処理が実現されている、請求項２に記載の画像読取装置。
【請求項５】
前記フラットケーブルは、前記一端から延びた第１延部と、前記他端から延びた第２延部と、前記第１延部と前記第２延部とを接続する湾曲部と、を含み、
前記第１延部および前記第２延部に、それぞれ、少なくとも１つ以上の前記突出部が形成され、
前記湾曲部が湾曲して前記フラットケーブルが折り畳まれた状態において、前記第１延部に形成された前記突出部と前記第２延部に形成された前記突出部とが前記フラットケーブルから同じ方向に突出している、請求項４に記載の画像読取装置。
【請求項６】
前記第１延部に形成された前記突出部と前記第２延部に形成された前記突出部とのうちの一方が他方よりも大きく形成されている、請求項５に記載の画像読取装置。
【請求項７】
前記突出部は、前記フラットケーブルの長手方向に複数形成されている、請求項４に記載の画像読取装置。
【請求項８】
前記フラットケーブルは、複数の心線を含み、
前記複数の心線は、前記突出部を避けて、前記フラット面の幅方向に並設されている、請求項４乃至請求項７の何れか１項に記載の画像読取装置。
【請求項９】
前記フラットケーブルは、前記一端から延びた第１延部と、前記他端から延びた第２延部と、前記第１延部と前記第２延部とを接続する湾曲部と、を含み、
前記フラットケーブルのうちの前記第１延部および前記第２延部に前記補強処理が施され、前記湾曲部に前記補強処理が施されていない、請求項２乃至請求項８の何れか１項に記載の画像読取装置。
【請求項１０】
前記スキャナーの前記ケーブル口は、前記コンタクトガラスの前記下面に直交する方向に延び、
前記フレームの前記コンタクトガラスに直交する側面には、前記フラット面の幅方向が前記コンタクトガラスの前記下面に直交する方向に沿うように前記フラットケーブルの前記他端を固定するフレーム固定部が設けられている、請求項１乃至請求項９の何れか１項に記載の画像読取装置。
【請求項１１】
前記スキャナーの前記ケーブル口は、主走査方向に延び、
前記フラットケーブルの前記一端は、前記フラット面の幅方向が主走査方向に沿い、
前記一端を含む前記フラットケーブルの端部には、前記フラット面の幅方向が主走査方向に沿った方向から前記コンタクトガラスの前記下面に直交する方向に沿った方向に向くように折り曲げられた第１折曲部が形成されている、請求項１乃至請求項９の何れか１項に記載の画像読取装置。
【請求項１２】
前記フレームの前記コンタクトガラスに対向する主面には、前記フラットケーブルの前記他端を、前記フラット面の幅方向が主走査方向に沿うように固定するフレーム固定部が設けられ、
前記他端を含む前記フラットケーブルの端部には、前記フラット面の幅方向が主走査方向に沿った方向から前記コンタクトガラスの前記下面に直交する方向に沿った方向に向くように折り曲げられた第２折曲部が形成されている、請求項１乃至請求項１０の何れか１項に記載の画像読取装置。
【請求項１３】
請求項１乃至請求項１２の何れか１項に記載の画像読取装置と、
前記画像読取装置が読み取った画像を記録紙に形成する画像形成部と、を備える画像形成装置。
【発明の詳細な説明】
【技術分野】
【０００１】
本発明は、画像読取装置および当該画像読取装置を備える画像形成装置に関する。
【背景技術】
【０００２】
主走査方向に延びた読取部を有するスキャナーを副走査方向に往復移動させることで、コンタクトガラスに載置された原稿の画像を読み取る画像読取装置が知られている。この画像読取装置においては、スキャナーの往復移動に応じてスキャナーに接続したケーブルが頻繁に折り曲がるため、折り曲がりに強いフラットケーブルがスキャナーとの接続に用いられる（例えば、下記の特許文献１を参照）。
【先行技術文献】
【特許文献】
【０００３】
【特許文献１】特開２０１０−１０７８２５号公報
【発明の概要】
【発明が解決しようとする課題】
【０００４】
フラットケーブルは、スキャナーの往復移動に応じた変形により、コンタクトガラスに接触する場合がある。特にフラットケーブルのフラット面がコンタクトガラスに接触すると、当該フラット面がコンタクトガラスに張り付き、コンタクトガラスが汚れたりするおそれがある。
【０００５】
本発明は、上記の事情に鑑みなされたものであり、簡易な構成でフラットケーブルがコンタクトガラスに接触することを防止することを目的とする。
【課題を解決するための手段】
【０００６】
本発明の一局面にかかる画像読取装置は、読取対象の原稿が載置されるコンタクトガラスと、前記コンタクトガラスを支持する箱形のフレームと、主走査方向に延びた読取機構を有し、前記フレーム内の前記コンタクトガラスの原稿が載置される上面とは反対側の下面側において副走査方向に往復移動するスキャナーと、平状のフラット面を有するフラットケーブルであって、前記スキャナーに設けられたケーブル口に一端が接続され、前記フレームに他端が接続され、前記スキャナーへ信号を送受するフラットケーブルと、を備え、前記フラットケーブルは、前記フラット面の幅方向が前記コンタクトガラスの前記下面に直交する方向に沿うように前記フレーム内を延設されている、画像読取装置である。
【０００７】
また、本発明の別の一局面にかかる画像形成装置は、上記の画像読取装置と、上記の画像読取装置が読み取った画像を記録紙に形成する画像形成部と、を備える画像形成装置である。
【発明の効果】
【０００８】
本発明によれば、簡易な構成でフラットケーブルがコンタクトガラスに接触することを防止することができる。
【図面の簡単な説明】
【０００９】
【図１】本発明の実施形態１にかかる画像読取装置を備えた画像形成装置を示す斜視図である。
【図２】本発明の実施形態１にかかる画像読取装置を備えた画像形成装置の主要内部構成を示す機能ブロック図である。
【図３】本発明の実施形態１にかかる画像読取装置の読取部を示す斜視図である。
【図４】（Ａ）および（Ｂ）は、一般的な画像読取装置においてフラットケーブルが変形する様子を示す図である。
【図５】（Ａ）および（Ｂ）は、本発明の実施形態１にかかる画像読取装置のスライド部材の構成を示す図である。
【図６】図３に示したスキャナーがホームポジションに位置から移動した状態を示す図である。
【図７】（Ａ）は、図３に示した読取部を上方から見た図であり、（Ｂ）は、図６に示した読取部を上方から見た図であり、（Ｃ）は、（Ｂ）に示す位置からスキャナーが移動した状態を示す図である。
【図８】図３や図６で示したフラットケーブルの詳細な構成を示す図である。
【図９】フラットケーブルの構成の変形例を示す図である。
【図１０】フラットケーブルの構成の変形例を示す図である。
【図１１】（Ａ）は、図３や図６で示したスキャナーをケーブル口が設けられた側面側から見た図であり、（Ｂ）は、図３や図６で示したスキャナーを上方から見た図である。
【図１２】変形例３にかかる画像読取装置のスライド部材の構成を示す図である。
【図１３】（Ａ）は、変形例４にかかる画像読取装置のスライド部材の構成を示す図であり、（Ｂ）は、変形例４にかかる画像読取装置の読取部の構成を示す図である。
【図１４】（Ａ）は、変形例５にかかる画像読取装置の読取部の構成を示す図であり、（Ｂ）は、（Ａ）に示した状態からスキャナーが移動した状態を示す図である。
【図１５】変形例６にかかる画像読取装置の読取部の構成を示す図である。
【図１６】（Ａ）〜（Ｃ）は、変形例６にかかる画像読取装置のフラットケーブルの構成を示す図である。
【図１７】変形例７にかかる画像読取装置の読取部の構成を示す図である。
【図１８】変形例７にかかる画像読取装置のスキャナーを側方から見た図である。
【図１９】（Ａ）および（Ｂ）は、変形例７にかかる画像読取装置のスキャナーを上方から見た図である。
【図２０】実施形態２にかかる画像読取装置の読取部の構成を示す図である。
【図２１】実施形態２にかかる画像読取装置のフラットケーブルの構成を示す図である。
【図２２】実施形態２にかかる画像読取装置のフラットケーブルの構成を示す図である。
【図２３】実施形態２にかかる画像読取装置において、スキャナーがホームポジションに位置しているときの読取部を上方から見た図である。
【図２４】実施形態２にかかる画像読取装置の記憶部に記憶されるデータの一例を示す図である。
【発明を実施するための形態】
【００１０】
以下、本発明の一実施形態にかかる画像読取装置およびこれを備えた画像形成装置について図面を参照して説明する。
【００１１】
＜実施形態１＞
図１は、実施形態１にかかる画像読取装置を備えた画像形成装置を示す斜視図である。図２は、実施形態１にかかる画像読取装置を備えた画像形成装置の主要内部構成を示す機能ブロック図である。
【００１２】
図１に示すように、画像形成装置１は、装置本体８０と、装置本体８０の上方に配置された画像読取装置１０とから概略構成される。
【００１３】
装置本体８０の外郭を構成する筐体８１の内部には、図２に示す画像形成部１２や給紙部１３などが収容されている。画像形成部１２は、感光体ドラム（不図示）、帯電装置（不図示）、露光装置（不図示）、および現像装置（不図示）などを備え、帯電、露光、現像の工程により、感光体ドラムに画像読取装置１０が読み取った原稿のトナー画像を形成する。その後、画像形成部１２は、当該トナー像を給紙部１３から給紙された記録紙に転写して定着処理を施した記録紙を排出トレイ８２に排出する。
【００１４】
装置本体８０の筐体８１の前面には、操作部８３が配置されている。操作部８３は、画像読取ジョブの実行を指示するためのスタートキーなどの複数の操作キー８３１と、液晶ディスプレイ（ＬＣＤ：Liquid Crystal Display）や有機ＥＬ（ＯＬＥＤ：Organic Light-Emitting Diode）ディスプレイを含んで構成される表示部８３２とを備えている。
【００１５】
また、図２に示すように、筐体８１の内部には、更に記憶部１４や制御ユニット１００が収容されている。記憶部１４は、ＨＤＤ（Hard Disk Drive）などの大容量の記憶装置であって、画像読取装置１０による原稿の読み取りにより生成された画像データや各種プログラムなどを記憶する。制御ユニット１００は、ＣＰＵ(Central Processing Unit)、ＲＡＭ（Random Access Memory）、およびＲＯＭ（Read Only memory）などから構成される。制御ユニット１００は、上記のＲＯＭや記憶部１４などに記憶されたプログラムが上記のＣＰＵに実行されることにより、制御部１０１、原稿サイズ検出部１０２、および受付部１０３として機能する。
【００１６】
制御部１０１は、画像形成装置１による画像形成動作や、画像読取装置１０による画像読取動作を制御する機能を有する。原稿サイズ検出部１０２は、後述するコンタクトガラス３２（図３参照）上に載置された原稿のサイズを検出する機能を有する。受付部１０３は、操作部８３などを用いたユーザー操作などに基づき、画像形成指示や画像読取指示などの各種指示を受け付ける機能を有する。
【００１７】
図１に示すように、画像読取装置１０は、読取部３０と、読取部３０の上方に配置された原稿搬送部２０とを備えている。原稿搬送部２０は、原稿載置台２１に載置された原稿を、コンタクトガラス３２に向けて搬送する。コンタクトガラス３２に搬送された原稿は、予め定められた原稿読取位置で後述するスキャナー４０（図３参照）により読み取られ、その後原稿排出部２２へ排出される。
【００１８】
また、原稿搬送部２０は、コンタクトガラス３２の主面に対して開閉自在に設けられており、コンタクトガラス３２に載置された原稿を押さえる原稿押さえ部材としての役割も果たす。
【００１９】
図３は、読取部３０を示す斜視図である。図３に示されるように、読取部３０は、箱形の筐体３１（ケーシング）を備えている。筐体３１の上面３１Ａ（原稿搬送部２０が閉じられた状態で原稿搬送部２０に対向する面）には開口が設けられており、当該開口にコンタクトガラス３２が装着されている。
【００２０】
コンタクトガラス３２の原稿が載置される上面とは反対側の下面側には、スキャナー４０が設けられている。スキャナー４０は、主走査方向（図中のＹ方向）に延びたＣＩＳ（Contact Image Sensor）方式の読取センサーから構成された読取機構４３を有する。ＣＩＳ方式の読取センサーは被写界深度が浅いため、読取機構４３は、不図示のスライダーを介してコンタクトガラス３２の下面に密着されている。スキャナー４０は、この状態で、モーターやギアからなる不図示の駆動部により筐体３１内を副走査方向（図中のＸ方向）に往復移動する。図３に示す例では、スキャナー４０が予め定められたホームポジション（図中のマイナスＸ方向側の端部）に位置する場合を示している。受付部１０３が原稿の読み取り指示を受け付けると、スキャナー４０は、制御部１０１による制御のもと、ホームポジションから図中のプラスＸ方向に移動して、コンタクトガラス３２上に載置された原稿を読み取る。そして、原稿の読み取りが完了すると、スキャナー４０は、図中のマイナスＸ方向に移動してホームポジションの位置に戻る。
【００２１】
読取機構４３は、赤色ＬＥＤ、緑色ＬＥＤ、青色ＬＥＤの複数のＬＥＤなどから構成された発光部（不図示）と、ＣＭＯＳ（Complementary Metal Oxide Semiconductor）イメージセンサーなどの受光部（不図示）から構成されている。スキャナー４０は、発光部により、赤、緑、青の３色の光を切り替えながら読取対象の原稿に向けて光を照射するとともに、受光部により原稿で反射された反射光を受光する。受光部は、受光した光を電気信号へ変換して、主走査方向の１ライン分の画像データを取得する。
【００２２】
スキャナー４０は、スキャナー４０による画像読み取り動作を制御する制御部１０１を含む制御ユニット１００と、フラットケーブル３３を介して電気的に接続されている。スキャナー４０の側面のうち、後述する筐体固定部３４が設けられた側（図中のプラスＸ方向側）に位置する側面４０Ａには、コンタクトガラス３２の下面に直交する方向に延びたケーブル口４４が設けられている。より具体的には、ケーブル口４４は、側面４０Ａの主走査方向の一方側（プラスＹ方向）の端部に設けられている。このケーブル口４４には、フラットケーブル３３の一端が接続されており、スキャナー４０が取得した画像データが、フラットケーブル３３を介して制御部１０１に伝達される。制御部１０１では、スキャナー４０から伝達された画像データに対して、デジタル信号化、シェーディング補正、ガンマ補正、色収差補正、ＭＴＦ（Modulation Transfer Function）補正およびスキャナー色補正などの様々な画像処理が施される。そして、当該画像処理により生成された画像データは、記憶部１４などに記憶される。
【００２３】
なお、フラットケーブル３３は、上記の画像データだけでなく、スキャナー４０を駆動させる電力やスキャナー４０の画像読み取り動作を制御する制御信号などが伝達される。
【００２４】
フラットケーブル３３は、一定間隔で並べた複数の心線を樹脂皮膜で覆ったリボン状のケーブルである。フラットケーブル３３は、変形した場合にも電気的特性を維持できるという特性があり、往復移動するスキャナー４０に接続するケーブルとして好適である。フラットケーブル３３の一端にはケーブル口４４に嵌まるソケットが設けられ、他端には制御ユニット１００に設けられたピンヘッダー（不図示）に嵌まるソケットが設けられている。
【００２５】
筐体３１の側面のうち、スキャナー４０のホームポジションとは副走査方向に反対側（図中のプラスＸ方向）の端部に位置する側面３１Ｃには、フラットケーブル３３の他端を筐体３１に固定する筐体固定部３４（フレーム固定部）が設けられている。筐体固定部３４は、例えばクリップホルダであり、フラットケーブル３３のフラット面の幅方向がコンタクトガラス３２の下面に直交する方向に沿うようにフラットケーブル３３の他端を固定する。
【００２６】
ここで、図４（Ａ）および図４（Ｂ）に示すような一般的な画像読取装置では、主走査方向に延びたケーブル口４４'および筐体固定部３４'により、フラットケーブル３３'のフラット面がコンタクトガラス３２'の下面と平行となる状態でフラットケーブル３３'が筐体３１'内に延設されている。この場合、スキャナー４０'の位置によっては、フラットケーブル３３'が大きな円弧を描いて上方（図中のプラスＺ方向）に膨らんで湾曲し、フラットケーブル３３'の一部分がコンタクトガラス３２'に接触する場合がある。
【００２７】
特に、スキャナー４０'が図４（Ａ）に示す位置から図４（Ｂ）に示す位置に移動して、スキャナー４０'が筐体固定部３４'の上方に位置するようになった場合、フラットケーブル３３'の一端と他端とが近接するため、フラットケーブル３３'の一部分がコンタクトガラス３２'に接触し易い。フラットケーブル３３'がコンタクトガラス３２'に接触すると、フラットケーブル３３'がコンタクトガラス３２'に張り付き、コンタクトガラス３２'が汚れたりするおそれがある。
【００２８】
これに対して、実施形態１にかかる画像読取装置１０では、フラットケーブル３３を、フラット面の幅方向がコンタクトガラス３２の下面に直交する方向に沿うように筐体３１内を延設させている。これにより、スキャナー４０の移動にともなってフラットケーブル３３が変形した場合であっても、フラットケーブル３３がコンタクトガラス３２に接触しない。
【００２９】
また、実施形態１にかかる画像読取装置１０では、フラットケーブル３３の筐体３１内での変形をガイドするためのスライド部材５０を設けている。以下、このスライド部材５０の詳細な構成を説明する。
【００３０】
図３に示すように、筐体３１の下面３１Ｂには、下面３１Ｂから凹んだ溝から構成されるスライド経路７０が形成されている。スライド経路７０は、図中のマイナスＹ方向側および図中のマイナスＸ方向側に向けて弧を描くように形成されている。換言すれば、スライド経路７０は、スキャナー４０の側面４０Ａにおいてケーブル口４４が設けられた主走査方向の一方側（図中のプラスＹ方向）とは反対の他方側、および副走査方向におけるホームポジションが設けられた側に向けて弧を描くように形成されている。このスライド経路７０に沿って、スライド部材５０は、筐体３１の下面３１Ｂ上をスライド移動可能に設けられている。
【００３１】
図５（Ａ）および図５（Ｂ）は、スライド部材５０の構成を示す図である。これらの図面に示すように、スライド部材５０は、楕円状の平面を有する平板状のベース部５１を含む。当該ベース部５１は、筐体３１の下面３１Ｂに対向する面の中央部に、筐体３１の下面３１Ｂ側（図中のマイナスＺ方向）に向けて突出した半球状の嵌込部５６が形成されている。当該嵌込部５６がスライド経路７０の溝に嵌り込むことで、スライド部材５０は、スライド経路７０に沿ってスライド移動可能になっている。
【００３２】
また、ベース部５１の嵌込部５６が形成された面とは反対側の面には、コンタクトガラス３２の下面側（図中のプラスＹ方向）に向けて突出した係止部５２と、引っ掛け部５３と、挿通部５４とが形成されている。
【００３３】
係止部５２は、対向配置された柱状の第１壁部５２１と第２壁部５２２とから構成される。第１壁部５２１と第２壁部５２２との間には、フラットケーブル３３のうちの、ケーブル口４４に接続された一端から延びた第１延部３３１と筐体固定部３４により固定された他端から延びた第２延部３３３との間に位置する湾曲部３３２が挟み込まれる。第１壁部５２１と第２壁部５２２とはそれぞれ、対向する面に複数の突起が設けられており、この突起により湾曲部３３２が挟持されてフラットケーブル３３が係止される。スキャナー４０の往復移動に応じてフラットケーブル３３が変形した場合、フラットケーブル３３の湾曲部３３２から係止部５２に力が伝達する。この係止部５２に伝達した力により、スライド部材５０は、スライド経路７０に沿ってスライド移動する。
【００３４】
引っ掛け部５３は、嵌込部５６が形成された面とは反対側の面の中央部、すなわち嵌込部５６とはベース部５１を挟んで反対側の位置に形成されている。引っ掛け部５３は、円柱状の部材であり、その周面にフラットケーブル３３の湾曲部３３２が引っ掛けられる。
【００３５】
挿通部５４は、対向配置された柱状の第３壁部５４１と第４壁部５４２とから構成される。第３壁部５４１と第４壁部５４２とは、フラットケーブル３３の厚み以上の長さだけ間隔を隔てて並設されており、その間には湾曲部３３２よりも他端側に位置するフラットケーブル３３が挿通されている。
【００３６】
ここで、スライド経路７０の溝に嵌り込む嵌込部５６の形状が半球状に形成されているため、スライド部材５０は、スライド経路７０に沿ってスライド移動可能であるとともに、嵌込部５６を中心に筐体３１の下面３１Ｂに沿った方向における向きが変更可能な状態となっている。すなわち、スキャナー４０の往復移動に応じてフラットケーブル３３の湾曲部３３２から係止部５２に伝達する力により、スライド部材５０は、筐体３１の下面３１Ｂ上をスライド移動するとともに、下面３１Ｂに沿った方向における向きが変更される。
【００３７】
図６は、図３に示したスキャナー４０がホームポジションに位置した状態から、スキャナー４０が筐体固定部３４が設けられた側（図中のプラスＸ方向）に移動した状態を示す図である。本図に示すように、スキャナー４０が図３に示すホームポジションから図中のプラスＸ方向に移動するとき、フラットケーブル３３は、スキャナー４０のプラスＸ方向への移動に応じてプラスＸ方向に移動する。フラットケーブル３３は、一定のヤング率（コシの強さ）を有するため、上記の移動の際には、フラットケーブル３３の湾曲部３３２から係止部５２にプラスＸ方向への力が伝達する。この力により、図６に示すように、スライド部材５０がスライド経路７０に沿って、図３に示した位置から図中のマイナスＹ方向側および図中のマイナスＸ方向側に移動する。また、上記のフラットケーブル３３の湾曲部３３２から係止部５２に伝達するプラスＸ方向への力により、スライド部材５０が嵌込部５６を中心に筐体３１の下面３１Ｂに沿って回動する。これにより、スライド部材５０の向きが図６に示すような向きに変更される。
【００３８】
図７（Ａ）〜図７（Ｃ）を用いて更に説明する。図７（Ａ）は、図３に示した図を上方（プラスＺ方向）から見た図であり、図７（Ｂ）は、図６に示した図を上方から見た図である。また、図７（Ｃ）は、図７（Ｂ）に示した状態から、スキャナー４０が更に筐体固定部３４が設けられた側（図中のプラスＸ方向）に移動した状態を示す図である。図７（Ｃ）に示すように、スキャナー４０が図７（Ｂ）に示す位置から更に図中のプラスＸ方向に移動するとき、フラットケーブル３３がプラスＸ方向に移動して、フラットケーブル３３の湾曲部３３２から係止部５２にプラスＸ方向への力が伝達する。この力により、図７（Ｃ）に示すように、スライド部材５０がスライド経路７０に沿って、図７（Ｂ）に示した位置から図中のマイナスＹ方向側および図中のマイナスＸ方向側に更に移動する。また、上記のフラットケーブル３３の湾曲部３３２から係止部５２に伝達するプラスＸ方向への力により、スライド部材５０が嵌込部５６を中心に筐体３１の下面３１Ｂに沿って更に回動する。
【００３９】
上記のように、スキャナー４０の移動にともなってスライド部材５０の位置および向きが変更される。これにより、フラットケーブル３３の筐体３１内での変形（向きおよび湾曲の仕方）がガイドされる。例えば、図７（Ｃ）に示す状態のように、スキャナー４０が筐体固定部３４に接近した場合においては、フラットケーブル３３が図中のマイナスＹ方向側に大きく膨らんで湾曲するように、フラットケーブル３３の変形がガイドされる。これにより、スキャナー４０が筐体固定部３４に接近した場合であっても、フラットケーブル３３が筐体３１に接触することがない。
【００４０】
上記のようなスライド部材５０を設けない場合、スキャナー４０の移動にともなってフラットケーブル３３が筐体３１内で不適切な方向に曲がったりする場合がある。例えば、図３や図６においてフラットケーブル３３が図中のプラスＹ方向側に膨らんで湾曲した場合、筐体３１の側面にフラットケーブル３３が接触してしまう。この場合、フラットケーブル３３が絡まったりして、スキャナー４０の移動が妨げられるおそれがある。この点、実施形態１にかかる画像読取装置１０によれば、フラットケーブル３３の筐体３１内での変形を適切な方向にガイドすることができるため、筐体３１の側面にフラットケーブル３３が接触することでスキャナー４０の移動が妨げられるといった事態を回避することができる。
【００４１】
＜変形例１＞
図８は、図３や図６で示したフラットケーブル３３の詳細な構成を示す図である。本図に示すように、フラットケーブル３３には、フラット面の一部がフラット面に直交する方向に突出した突出部３３４、３３５が形成されている。この突出部３３４、３３５を形成することにより、フラットケーブル３３のフラット面の幅方向に対するヤング率が高まり、フラット面の幅方向がコンタクトガラス３２の下面に直交する方向に沿うようにフラットケーブル３３を配設することが可能になる。
【００４２】
突出部３３４、３３５は、フラットケーブル３３の樹脂皮膜を金型などを用いて変形させることで形成される。また、フラットケーブル３３が含む複数の心線は、突出部３３４、３３５を避けて、フラット面の幅方向（図中のＺ方向）に並設されている。すなわち、図８中においてフラットケーブル３３の幅方向における上部および下部に心線が並設されているが、中央部には心線が並設されていない。
【００４３】
また、突出部３３４は、フラットケーブル３３の第１延部３３１に形成され、突出部３３５は、フラットケーブル３３の第２延部３３３のうちの湾曲部３３２から予め定められた長さ以上離れた領域に形成されている。換言すれば、湾曲部３３２および第２延部３３３のうちの湾曲部３３２から予め定められた長さ未満離れた領域には、突出部が形成されておらずヤング率を高める補強処理が施されていない。
【００４４】
第２延部３３３の全ての領域に突出部３３５を形成するのではなく、第２延部３３３のうちの湾曲部３３２から予め定められた長さ以上離れた領域にのみ突出部３３５を形成することで、スキャナー４０が筐体固定部３４が設けられた側（図中のプラスＸ方向）に最も移動した場合、すなわち、スライド部材５０がスライド経路７０の筐体固定部３４が設けられた側（図中のプラスＸ方向）の端部に移動した場合においても、突出部３３５が挿通部５４に接触しない。これにより、フラットケーブル３３に形成された突出部３３５がスライド部材５０の挿通部５４に接触してスライド部材５０のスライド移動が妨げられる事態を回避することができる。
【００４５】
また、図９は、フラットケーブル３３の更なる変形例の構成を示す図である。本図に示すように、突出部３３４および突出部３３５を、湾曲部３３２が湾曲してフラットケーブル３３が折り畳まれた状態においてフラットケーブル３３から突出する方向が同じとなるように設けてもよい。そして、突出部３３５を突出部３３４よりも大きく形成してもよい。これにより、湾曲部３３２が湾曲してフラットケーブル３３が折り畳まれた状態において、突出部３３４が突出部３３５の反対側に形成された凹部内に位置して、突出部３３４および突出部３３５が重なり合う。これにより、フラットケーブル３３をより狭い領域内に収容することができる。
【００４６】
図１０は、フラットケーブル３３の更なる変形例の構成を示す図である。本図に示すように、フラット面の一部がフラット面に直交する方向に突出した複数の突出部３３４Ａ〜３３４Ｃ、３３５Ａ〜３３５Ｃを、フラットケーブル３３の長手方向に並設してもよい。
【００４７】
これにより、突出部３３４Ａと突出部３３４Ｂとの間の領域Ｒ１、突出部３３４Ｂと突出部３３４Ｃとの間の領域Ｒ２、突出部３３５Ａと突出部３３５Ｂとの間の領域Ｒ３、および突出部３３５Ｂと突出部３３５Ｃとの間の領域Ｒ４には、ヤング率を高める補強処理が施されていない。このため、これらのＲ１〜Ｒ４の領域においても湾曲可能であるため、フラットケーブル３３をより自由な態様で変形させることができる。
【００４８】
また、フラットケーブル３３が含む複数の心線は、上記の突出部３３４Ａ〜３３４Ｃ、３３５Ａ〜３３５Ｃを避けて、フラット面の幅方向（図中のＺ方向）に並設されている。すなわち、図１０中においてフラットケーブル３３の幅方向における上部および下部に加えて、上記のＲ１〜Ｒ４の領域に心線が並設されている。
【００４９】
＜変形例２＞
図１１（Ａ）は、図３や図６で示したスキャナー４０をケーブル口４４が設けられた側面４０Ａ側から見た図であり、図１１（Ｂ）は、図３や図６で示したスキャナー４０を上方から見た図である。これらの図面に示すように、ケーブル口４４が設けられたスキャナー４０の側面４０Ａには、ケーブル口４４の下方（図中のマイナスＺ方向）の位置から副走査方向に向けて突出した保持部材２５が設けられている。保持部材２５は、底壁部２７と、底壁部２７の主走査方向の両端部から上方（図中のプラスＺ方向）に向けて突出した第１壁部２６および第２壁部２８とを含む。第１壁部２６と第２壁部２８とは、互いがフラットケーブル３３の厚み以上の長さだけ間隔を隔てて並設されており、その間にケーブル口４４に接続されたフラットケーブル３３の第１延部３３１が挿通される。このとき、第１延部３３１の筐体３１の下面３１Ｂ側（図中のマイナスＺ方向側）の側面が保持部材２５の底壁部２７に当接する。このように、上記の第１壁部２６、第２壁部２８、および底壁部２７により、第１延部３３１が筐体３１の下面３１Ｂ側から保持される。これにより、フラット面の幅方向がコンタクトガラス３２の下面に直交する方向から曲がってフラットケーブル３３が筐体３１の下面３１Ｂに接触する事態を回避することができる。
【００５０】
＜変形例３＞
図１２は、変形例３にかかるスライド部材５０の構成を示す図である。変形例３にかかるスライド部材５０では、ベース部５１の上方（図中のプラスＺ方向）に上壁部５８が設けられており、ベース部５１と上壁部５８との間に、係止部５２、引っ掛け部５３、および挿通部５４の各部材が設けられている。そして上壁部５８のコンタクトガラス３２の下面に対向する面には、コンタクトガラス３２の下面側に突出した半球状の当接部材５７が複数形成されている。スライド部材５０は、この複数の当接部材５７がコンタクトガラス３２の下面に当接した状態、かつ、嵌込部５６がスライド経路７０の溝に嵌り込んだ状態で、筐体３１内をスライド移動する。コンタクトガラス３２の下面に当接する当接部材５７を設けることにより、スライド部材５０をより安定な姿勢でスライド移動させることができる。
【００５１】
＜変形例４＞
図１３（Ａ）は、変形例４にかかるスライド部材５０の構成を示す図である。本図に示すように、変形例４にかかるスライド部材５０では、ベース部５１の筐体３１の下面３１Ｂに対向する面に、筐体３１の下面３１Ｂ側（図中のマイナスＺ方向）に向けて突出した２つの嵌込部５８Ａ、５８Ｂが形成されている。また、図１３（Ｂ）は、変形例４にかかる読取部３０の構成を示す図である。変形例４にかかる読取部３０では、筐体３１の下面３１Ｂに、互いに並設された２つのスライド経路７１、７２が形成されている。スライド経路７１、７２は、ともに図中のマイナスＹ方向側および図中のマイナスＸ方向側に向けて弧を描くように形成されている。このスライド経路７１にスライド部材５０の嵌込部５８Ａが嵌り込み、スライド経路７２にスライド部材５０の嵌込部５８Ｂが嵌り込む。
【００５２】
スキャナー４０の往復移動に応じてフラットケーブル３３の湾曲部３３２から係止部５２に伝達する力により、スライド部材５０の下面３１Ｂに沿った方向における向きが変更されるが、上記のように２つのスライド経路７１、７２に沿ってスライド部材５０をスライド移動させることで、スライド部材５０の向きを一定の範囲で規制することができる。例えば、フラットケーブル３３から伝達される力によりスライド部材５０が１回転以上してフラットケーブル３３が絡まるといった事態が発生し得ない。また、スライド部材５０をより安定な姿勢でスライド移動させることができる。
【００５３】
＜変形例５＞
図１４（Ａ）は、変形例５にかかる読取部３０の構成を示す図である。本図に示すように、変形例５にかかる読取部３０は、上記の実施形態１とはフラットケーブルの形状が異なる。変形例５にかかる読取部３０は、フラットケーブル３６は、ケーブル口４４に接続された一端から延びた第１延部３６１と、筐体固定部３４により固定された他端から延びた第２延部３６２と、第１延部３６１と第２延部３６２とを接続する湾曲部３６３と、を含む。そして、フラットケーブル３６のうちの第１延部３６１に突出部３６４が形成され、第２延部３６２に突出部３６５が形成されている。一方、湾曲部３６３には突出部が形成されておらず、ヤング率を高める補強処理が施されていない。
【００５４】
図１４（Ａ）に示すように、補強処理が施されておらず湾曲可能な湾曲部３６３の領域が上記の実施形態１の場合と比較して狭いため、スキャナー４０が図中のプラスＸ方向に移動したときは、図１４（Ｂ）に示すように、フラットケーブル３６が略Ｖ字状に変形する。このため、フラットケーブル３６が大きな円弧を描いて図中のマイナスＹ方向に膨らんで湾曲して、フラットケーブル３３の一部分が筐体３１の側面に接触する事態を回避することができる。
【００５５】
なお、上記では突出部３６４、３６５を形成することでヤング率を高める補強処理を行う場合を説明したが、本発明は必ずしもこの場合に限定されない。例えば、フラットケーブル３６のうちの第１延部３６１と第２延部３６２に、一定の弾性を有するシート部材（補強部材）を着設することでヤング率を向上させてもよい。
【００５６】
＜変形例６＞
図１５は、変形例６にかかる読取部３０の構成を示す図である。本図に示すように、変形例６にかかる読取部３０では、スキャナー４０の側面４０Ａに、主走査方向に延びるケーブル口４７が形成されている。また、筐体３１の側面のうち、スキャナー４０のホームポジションとは副走査方向に反対側（図中のプラスＸ方向）の端部に位置する側面３１Ｃには、フラットケーブル３７の他端をフラット面の幅方向が主走査方向に沿うように筐体３１に固定する筐体固定部３８（フレーム固定部）が設けられている。
【００５７】
上記のケーブル口４７および筐体固定部３８により、フラットケーブル３７の一端および他端では、フラット面の幅方向が主走査方向に沿う。その一方、フラットケーブル３７の中央部では、フラットケーブル３７がコンタクトガラス３２に接触することを避けるために、フラット面の幅方向がコンタクトガラス３２の下面に直交する方向に沿うことが好ましい。このため、変形例６にかかる読取部３０では、フラットケーブル３７の形状を、図１６（Ｃ）に示す形状にしている。すなわち、フラットケーブル３７は、ケーブル口４７に接続される一端を含む端部３７６に、フラット面の幅方向が主走査方向に沿った方向からコンタクトガラス３２の下面に直交する方向に沿った方向に向くように折り曲げられた第１折曲部３７７が形成されている。また、フラットケーブル３７は、筐体固定部３８により固定される他端を含む端部３７８に、フラット面の幅方向が主走査方向に沿った方向からコンタクトガラス３２の下面に直交する方向に沿った方向に向くように折り曲げられた第２折曲部３７９が形成されている。
【００５８】
第１折曲部３７７は、第１延部３７１の端部を図１６（Ａ）に示す点線Ｓ１に沿って矢印方向に折り曲げ、その後、図１６（Ｂ）に示す点線Ｓ３に沿って矢印方向に折り曲げることで形成される。また、第２折曲部３７９は、第１延部３７１と湾曲部３７３を介して接続された第２延部３７２の端部を図１６（Ａ）に示す点線Ｓ２に沿って矢印方向に折り曲げ、その後、図１６（Ｂ）に示す点線Ｓ４に沿って矢印方向に折り曲げることで形成される。
【００５９】
このように、変形例６にかかる読取部３０によれば、一般的な画像読取装置で採用されるような主走査方向に延びたケーブル口や筐体固定部の構成において、フラットケーブル３７がコンタクトガラス３２に接触することを避けることができる。
【００６０】
＜変形例７＞
図１７は、変形例７にかかる読取部３０の構成を示す図である。本図に示すように、変形例７にかかる読取部３０では、スキャナー４０の図中のマイナスＸ方向側の側面４０Ｂにおける主走査方向の一方側（図中のプラスＹ方向）の端部に、コンタクトガラス３２の下面に直交する方向に延び、フラットケーブル３５の一端が接続されたケーブル口４８が形成されている。また、筐体３１の側面３１Ｄには筐体固定部３９が設けられており、当該筐体固定部３９によりフラットケーブル３５の他端が筐体３１に固定されている。上記のケーブル口４８および筐体固定部３９により、フラットケーブル３５は、そのフラット面の幅方向がコンタクトガラス３２の下面に直交する方向に沿うように筐体３１内を延設される。具体的には、フラットケーブル３５は、一端から副走査方向の一方側（図中のマイナスＸ方向側）に延びた第１延部３５１と、第１延部３５１に連続し、副走査方向の一方側から反対側の他方側（図中のプラスＸ方向）に折り返された湾曲部３５２と、湾曲部３５２に連続し、副走査方向の他方側に延びて筐体固定部３９に他端が固定された第２延部３５３とを形成する。
【００６１】
ここで、スキャナー４０の主走査方向の一方側（図中のプラスＹ方向）には、フラットケーブル３５の第２延部３５３の一部を筐体３１の下面３１Ｂ側から保持する保持部材９０が設けられている。保持部材９０は、スキャナー４０の側面に固定されており、スキャナー４０と一体となって筐体３１内を往復移動する。図１８は、スキャナー４０をプラスＸ方向側から見た側面図である。本図に示すように、保持部材９０は、底壁部９３と、底壁部９３からコンタクトガラス３２の下面側に突出した第１壁部９１および第２壁部９２とを含む。第１壁部９１と第２壁部９２とは、フラットケーブル３５の厚み以上の長さだけ間隔を隔てて並設されており、その間には、フラットケーブル３５のうちの第２延部３５３が挿通される。このとき、第２延部３５３の筐体３１の下面３１Ｂ側（図中のマイナスＺ方向側）の側面が保持部材９０の底壁部９３に当接する。このように、上記の第１壁部９１、第２壁部９２、および底壁部９３により、第２延部３５３が筐体３１の下面３１Ｂ側から保持される。これにより、フラット面の幅方向がコンタクトガラス３２の下面に直交する方向から曲がってフラットケーブル３５が筐体３１の下面３１Ｂに接触する事態を回避することができる。
【００６２】
また、保持部材９０は、フラットケーブル３５の変形をガイドする役割も果たす。図１９（Ａ）は、スキャナー４０がホームポジションに位置するときの読取部３０を示す。この状態から、スキャナー４０が図中のプラスＸ方向に移動した場合、フラットケーブル３５は、図１９（Ｂ）に示すように変形する。保持部材９０の第１壁部９１と第２壁部９２との間に第２延部３５３が挿通されているため、フラットケーブル３５が筐体３１の側面３１Ｄに接触し難くなっている。保持部材９０を設けない場合、フラットケーブル３５が筐体３１の側面３１Ｄと接触した状態でフラットケーブル３５が変形するため、筐体３１の側面３１Ｄとフラットケーブル３５との間で摩擦力が発生し、この摩擦力によりスキャナー４０の往復移動が妨げられるおそれがある。この点、変形例７にかかる読取部３０によれば、フラットケーブル３５が筐体３１の側面３１Ｄに接触し難く、筐体３１の側面３１Ｄとフラットケーブル３５との間で上記の摩擦力も発生しないため、スキャナー４０の往復移動が妨げられることがない。
【００６３】
また、保持部材９０は、既述の通りスキャナー４０の側面に固定されており、スキャナー４０と一体となって筐体３１内を往復移動するが、その往復移動する範囲は、筐体３１内におけるコンタクトガラス３２の下方（図中のマイナスＺ方向）の範囲となる。換言すれば、保持部材９０は、筐体３１内における上面３１Ａの下方の位置には位置しないように設けられている。これにより、保持部材９０は、上方（図中のプラスＺ方向）から筐体３１の上面３１Ａに遮られることなくコンタクトガラス３２を通じて視認可能となっている。
【００６４】
ここで、保持部材９０からフラットケーブル３５が外れた場合にはメンテナンスが必要となる。この点、上記のように保持部材９０が上方から視認可能な位置に設けられているため、ユーザーが保持部材９０からフラットケーブル３５が外れた場合などを発見しやすくなっている。
【００６５】
＜実施形態２＞
図２０は、実施形態２にかかる読取部３０の構成を示す図である。また、図２１および図２２は、実施形態２にかかるフラットケーブル３６の構成を示す図である。
【００６６】
図２１に示すように、実施形態２にかかる読取部３０では、フラットケーブル３６のコンタクトガラス３２の下面に対向する辺に、フラットケーブル３６の被膜の一部が切り欠けられた複数の切欠部６１Ａ〜６１Ｊが形成されている。この切欠部６１Ａ〜６１Ｊにより、フラットケーブル３６に内包される複数の心線のうちの一部の心線が露出している。そして、図２２に示すように、切欠部６１Ａ〜６１Ｊのうちの一部の切欠部に、複数の原稿検知センサー６０Ａ〜６０Ｆが検出方向をコンタクトガラス３２の下面側に向けた状態で設けられている。具体的には、切欠部６１Ａ〜６１Ｊのうちの、切欠部６１Ｂ、６１Ｅ、６１Ｇ、６１Ｈ、６１Ｉ、および６１Ｊに、原稿検知センサー６０Ａ〜６０Ｆが設けられている。一方、原稿検知センサー６０Ａ〜６０Ｆが設けられていない切欠部６１Ａ、６１Ｃ、６１Ｄ、および６１Ｆには、それぞれ、保護カバー６２Ａ〜６２Ｄが設けられている。保護カバー６２Ａ〜６２Ｄは、絶縁性を有する樹脂などから構成され、切欠部から露出した心線を保護する役割を果たす。
【００６７】
詳細は後述するが、原稿検知センサー６０Ａ〜６０Ｆの位置により原稿を検知できるサイズが異なる。また、画像読取装置の種別によって検知したい原稿のサイズが異なる。このため、画像読取装置１０を製造する際に、検知したい原稿のサイズ応じて原稿検知センサー６０Ａ〜６０Ｆを配置する位置を変える必要がある。この点、上記の構成によれば、フラットケーブル３６に形成された切欠部６１Ａ〜６１Ｊのうち、所望の位置に位置している切欠部に原稿検知センサー６０を設け、それ以外の位置に位置している切欠部に保護カバー６２を設けることができる。これにより、画像読取装置の種別毎に異なるフラットケーブル３６を設けなくとも、所望の位置に原稿検知センサー６０を設け、所望のサイズの原稿のサイズを検出させることができる。なお、原稿検知センサー６０Ａ〜６０Ｆは、いずれも同じ構成を有するものであり、以後特に区別して説明しない場合には「Ａ」、「Ｆ」等を略して原稿検知センサー６０として説明する。
【００６８】
原稿検知センサー６０は、所謂反射型のセンサーであって、発光素子と受光素子とを有する。発光素子は、例えば、赤外光を発光する赤外発光ダイオードであって、その主出射方向がコンタクトガラス３２に向けて配置され、コンタクトガラス３２上に載置された原稿に向けて赤外光を出射する。また、受光素子は、フォトダイオードやフォトトランジスターなどの受光素子であって、その主受光方向がコンタクトガラス３２に向けて配置され、コンタクトガラス３２またはコンタクトガラス３２に積載された原稿で反射した赤外光を受光する。
【００６９】
原稿検知センサー６０は、それぞれ、切欠部６１Ａ〜６１Ｊにおいて、フラットケーブル３６に内包される複数の心線のうちの何れかの心線と電気的に接続されている。原稿検知センサー６０から出力される検知信号は、フラットケーブル３６に内包される心線を介して制御ユニット１００に伝達される。原稿検知センサー６０から出力される検知信号は、受光素子が受光した赤外光の強度を示す信号である。制御ユニット１００の原稿サイズ検出部１０２は、検知信号が示す赤外光の強度が予め定められた強度以上である場合に、原稿検知センサー６０の上方に原稿が存在し、発光素子が出射した赤外光が原稿で反射されたことを検出する。そして、原稿サイズ検出部１０２は、複数の原稿検知センサー６０から出力される各検知信号に基づいて、各原稿検知センサー６０の上方に原稿が存在するか否かを検出して、コンタクトガラス３２に載置された原稿のサイズを決定する。
【００７０】
原稿検知センサー６０Ａ〜６０Ｆは、それぞれ、コンタクトガラス３２の予め定められた位置の下方に位置するようにフラットケーブル３６に設けられる。図２３は、スキャナー４０がホームポジションに位置しているときの読取部３０を上方から見た図である。本図において、点線は、コンタクトガラス３２上に載置される各原稿のサイズを示している。原稿サイズ検出部１０２は、スキャナー４０がホームポジションに位置するときに、複数の原稿検知センサー６０から出力される検知信号に基づいて、コンタクトガラス３２に載置された原稿のサイズを決定する。
【００７１】
ここで、図２４に示すように、記憶部１４には、原稿サイズ検出テーブルが記憶されている。原稿サイズ検出テーブルＴ１は、スキャナー４０がホームポジションに位置するときの原稿検知センサー６０Ａ〜６０Ｆの検知信号の出力と原稿サイズとの関係を示している。原稿サイズ検出部１０２は、この原稿サイズ検出テーブルＴ１に従って、コンタクトガラス３２に載置された原稿のサイズを決定する。例えば、原稿検知センサー６０Ａ〜６０Ｆの全てのセンサーから上方に原稿が存在する旨の検知信号が出力されている場合、原稿サイズ検出部１０２は、コンタクトガラス３２上にＡ３サイズの原稿が載置されていることを検出する。また、例えば、原稿検知センサー６０Ａ〜６０Ｄのセンサーから上方に原稿が存在する旨の検知信号が出力されており、原稿検知センサー６０Ｅ、６０Ｆのセンサーから原稿が存在しない旨の検知信号が出力されている場合、原稿サイズ検出部１０２は、コンタクトガラス３２上にＡ４（縦）サイズの原稿が載置されていることを検出する。このように、原稿サイズ検出部１０２は、原稿検知センサー６０Ａ〜６０Ｆから出力される検知信号に基づいて、Ａ３サイズからＢ５サイズまでの各原稿サイズの原稿を検出することができる。
【００７２】
以上のように、実施形態２にかかる画像読取装置１０によれば、原稿検知センサー６０をフラットケーブル３６に設けることで、原稿検知センサー６０から出力される検知信号をフラットケーブル３６を用いて制御ユニット１００まで伝達させることができるため、装置内の配線構造を簡易化することができる。また、実施形態２にかかる画像読取装置１０では、フラットケーブル３６をフラット面の幅方向がコンタクトガラス３２の下面に直交する方向に沿うように配設しているため、原稿検知センサー６０を検出方向をコンタクトガラス３２の下面側に向けた状態で設けることが可能になっている。
【００７３】
＜変形例＞
図２４に示すように、記憶部１４には、複数の原稿サイズ検出テーブルＴ１〜Ｔ３が記憶されている。原稿サイズ検出テーブルＴ２は、スキャナー４０がホームポジションから予め定められた距離だけ離れた第１の位置に位置するときの原稿検知センサー６０Ａ〜６０Ｆの検知信号の出力と原稿サイズとの関係を示している。また、原稿サイズ検出テーブルＴ２は、スキャナー４０がホームポジションから予め定められた距離だけ離れた第２の位置に位置するときの原稿検知センサー６０Ａ〜６０Ｆの検知信号の出力と原稿サイズとの関係を示している。
【００７４】
原稿サイズ検出部１０２は、まず、スキャナー４０がホームポジションに位置するときに原稿検知センサー６０Ａ〜６０Ｆから出力される検知信号に基づき原稿サイズを特定する。このとき、原稿検知センサー６０Ａ〜６０Ｆの検知信号の出力値によっては原稿サイズを特定できない場合がある。例えば、原稿検知センサー６０Ａ〜原稿検知センサー６０Ｃから上方に原稿が存在する旨の検知信号が出力され、原稿検知センサー６０Ｄ〜６０Ｅから上方に原稿が存在しない旨の検知信号が出力されている場合、原稿サイズ検出テーブルＴ１を参照しても、原稿サイズを特定することができない。この場合、原稿サイズ検出部１０２は、スキャナー４０をホームポジションから予め定められた第１の位置に移動させる。スキャナー４０がホームポジションから予め定められた第１の位置に移動すると、原稿検知センサー６０Ａ〜６０Ｆの各位置も変化する。原稿サイズ検出部１０２は、原稿検知センサー６０Ａ〜６０Ｆから出力される各検知信号に基づき、原稿サイズ検出テーブルＴ２を参照して、原稿サイズを特定する。スキャナー４０がホームポジションに位置するときから原稿検知センサー６０Ａ〜６０Ｆの各位置が変化したため、スキャナー４０がホームポジションに位置するときに特定できなかった特殊なサイズの原稿を特定することができる。
【００７５】
また、原稿サイズ検出部１０２が、スキャナー４０が予め第１の位置に位置するときに原稿検知センサー６０Ａ〜６０Ｆから出力される検知信号に基づいて原稿サイズを特定できなかった場合は、原稿サイズ検出部１０２は、スキャナー４０を更に移動させて予め定められた第２の位置に移動させる。そして、原稿サイズ検出部１０２は、スキャナー４０が予め定められた第２の位置に位置するときに原稿検知センサー６０Ａ〜６０Ｆから出力される各検知信号に基づき、原稿サイズ検出テーブルＴ３を参照して原稿サイズを特定する。
【００７６】
以上のように、変形例にかかる画像読取装置１０では、原稿サイズ検出部１０２が、スキャナー４０がホームポジションに位置する場合に原稿検知センサー６０Ａ〜６０Ｆから出力される検知信号に基づき原稿のサイズを特定できなかった場合には、スキャナー４０をホームポジションから予め定められた位置に移動させる。そして、原稿サイズ検出部１０２は、スキャナー４０がホームポジションに位置するときに原稿検知センサー６０Ａ〜６０Ｆから出力される検知信号に加えて、スキャナーが予め定められた位置に位置するときに原稿検知センサー６０Ａ〜６０Ｆから出力される検知信号に基づいて、コンタクトガラス３２に載置された原稿のサイズを決定する。これにより、原稿のサイズをより詳細に特定することができる。
【００７７】
＜補足＞
上記の実施形態で示した構成および上記の変形例で示した構成を組み合わせてもよい。例えば、図１６（Ｃ）に示した変形例６にかかるフラットケーブルの構成を、他の実施形態や変形例に採用してもよい。
【００７８】
また、上記の実施の形態および上記の変形例で説明した制御プログラムをコンピューター読み取り可能な非一時的な記録媒体、例えば、ハードディスク、ＣＤ−ＲＯＭ、ＤＶＤ−ＲＯＭ、半導体メモリーなどに記録してもよい。
【符号の説明】
【００７９】
１     画像形成装置
１０   画像読取装置
１２   画像形成部
３０   読取部
３１   筐体
３２   コンタクトガラス
３３   フラットケーブル
３４   筐体固定部
４０   スキャナー
４４   ケーブル口
５０   スライド部材
６０   原稿検知センサー
７０   スライド経路
１００ 制御ユニット
１０１ 制御部
１０２ 原稿サイズ検出部
１０３ 受付部                                                                     
【図１】
2018110307.tif 000003
【図２】
2018110307.tif 000004
【図３】
2018110307.tif 000005
【図４】
2018110307.tif 000006
【図５】
2018110307.tif 000007
【図６】
2018110307.tif 000008
【図７】
2018110307.tif 000009
【図８】
2018110307.tif 000010
【図９】
2018110307.tif 000011
【図１０】
2018110307.tif 000012
【図１１】
2018110307.tif 000013
【図１２】
2018110307.tif 000014
【図１３】
2018110307.tif 000015
【図１４】
2018110307.tif 000016
【図１５】
2018110307.tif 000017
【図１６】
2018110307.tif 000018
【図１７】
2018110307.tif 000019
【図１８】
2018110307.tif 000020
【図１９】
2018110307.tif 000021
【図２０】
2018110307.tif 000022
【図２１】
2018110307.tif 000023
【図２２】
2018110307.tif 000024
【図２３】
2018110307.tif 000025
【図２４】
2018110307.tif 000026